(57)【要約】      （修正有）【課題】スライドスリーブの摩損を抑制し、使用寿命を延長できる接続装置を提供する。【解決手段】筒形軸継手１、スライドスリーブ２、復位ばね１４、およびボール１３を備える。筒形軸継手１は、給気部材の本体３に設けられており、外部工具４と接続するのに用いられ、周壁に複数の収容穴１２が形成されている。スライドスリーブ２は、筒形軸継手１の外部に嵌め込まれており、筒形軸継手１の軸方向に滑動可能である。復位ばね１４は、スライドスリーブ２と筒形軸継手１との間に設けられている。ボール１３は、筒形軸継手１の収容穴１２の中に設けられている。ボール１３は、一部が収容穴１２の外部に凸出することにより、スライドスリーブ２の一つの階段状溝２３に当接し、且つスライドスリーブ２が滑動するとともに移動する。階段状溝２３の下方にスライドスリーブ２に相対する変位経路が形成されている。【選択図】図１
0003190541.tif 000002
【実用新案登録請求の範囲】
【請求項１】
給気部材の本体に設けられており、外部工具と接続するのに用いられ、周壁に複数の収容穴が形成されている筒形軸継手と、
前記筒形軸継手の外部に嵌め込まれており、前記筒形軸継手の軸方向に滑動可能であるスライドスリーブと、
前記スライドスリーブと前記筒形軸継手との間に設けられている復位ばねと、
前記筒形軸継手の前記収容穴の中に設けられている係止部材と、を備え、
前記係止部材は、一部が前記収容穴の外部に凸出することにより、前記スライドスリーブの一つの階段状溝に当接し、且つ前記スライドスリーブが滑動するとともに移動し、
前記階段状溝の下方に前記スライドスリーブに相対する変位経路が形成されており、
前記スライドスリーブおよび前記筒形軸継手に、相互に嵌合する係止部がそれぞれ設けられており、
前記スライドスリーブは、前記筒形軸継手に対して相対枢動可能であり、内壁において、前記係止部材の変位経路に対応する位置に、一定の面積を有する接触部が設けられていることを特徴とする接続装置。
【請求項２】
前記筒形軸継手の係止部は、前記筒形軸継手の外壁に軸方向沿いに延伸する凸部であり、
前記スライドスリーブの係止部は、前記スライドスリーブの内壁に軸方向沿いに延伸する凹部であることを特徴とする請求項１に記載の接続装置。
【請求項３】
前記係止部材は、球形を呈するボールであり、
前記接触部は、前記ボールに対応する形状を有し、前記スライドスリーブの軸方向沿いに延伸する弧形案内溝であることを特徴とする請求項１に記載の接続装置。
【考案の詳細な説明】
【技術分野】
【０００１】
本考案は、接続装置に関し、特に、係止部材が滑動するよう、スライドスリーブに案内手段が形成されている接続装置に関する。
【背景技術】
【０００２】
高圧ガス源と気動工具とを接続する従来の接続装置は、内部に係止構造を有し、気動工具を固定するのに用いられる。接続装置は、筒形軸継手が設けられている。筒形軸継手には、複数の収容穴が形成されており、各収容穴に球形のボールが設けられている。また、筒形軸継手の外部にスライドスリーブが嵌め込まれている。各ボールは、一部が収容穴から凸出し、スライドスリーブの内側壁に当接されている。図５に示すように、各ボール６１は、スライドスリーブ６２に当接されている。外部の気動工具６３が接続装置に接続するとき、各ボール６１は、押し出され、スライドスリーブ６２の内側壁で滑動して気動工具６３に係合することにより気動工具６３が固定される。
【０００３】
しかしながら、上述した作動において、各ボール６１は、極めて大きい押し出し力を受けている。ボール６１が球形であるので、スライドスリーブ６２の内側壁とは、一点で点接触しているため、各ボール６１が極めて大きい圧力をスライドスリーブ６２に作用する恐れがある。故に、スライドスリーブ６２は、各ボール６１と接触している箇所が、摩損しやすくなり、接続装置の空気漏れまたは気動工具６３と精密に固定して結合することができない恐れがある。
【考案の概要】
【考案が解決しようとする課題】
【０００４】
上述した問題点を改善することが、本考案が解決しようとする主要な課題である。
本考案は、上述の問題に鑑みてなされたものであり、その目的は、スライドスリーブに係止部材が滑動する案内手段を設けることにより、係止部材がスライドスリーブに接触する面積を増大させ、係止部材がスライドスリーブに圧入する圧力を低減することで、スライドスリーブの摩損を抑制し、使用寿命を延長することができる接続装置提供することにある。
【課題を解決するための手段】
【０００５】
本考案による接続装置は、筒形軸継手、スライドスリーブ、復位ばね、および係止部材を備える。筒形軸継手は、給気部材の本体に設けられており、外部工具と接続するのに用いられ、周壁に複数の収容穴が形成されている。スライドスリーブは、筒形軸継手の外部に嵌め込まれており、筒形軸継手の軸方向に滑動可能である。復位ばねは、スライドスリーブと筒形軸継手との間に設けられている。係止部材は、筒形軸継手の収容穴の中に設けられている。係止部材は、一部が収容穴の外部に凸出することにより、スライドスリーブの一つの階段状溝に当接し、且つスライドスリーブが滑動するとともに移動する。階段状溝の下方にスライドスリーブに相対する変位経路が形成されている。スライドスリーブおよび筒形軸継手に、相互に嵌合する係止部がそれぞれ設けられている。スライドスリーブは、筒形軸継手に対して相対枢動可能であり、内壁において、係止部材の変位経路に対応する位置に、一定の面積を有する接触部が設けられている。
【図面の簡単な説明】
【０００６】
【図１】本考案の一実施形態による接続装置を示す断面図である。
【図２】本考案の一実施形態による接続装置の係止構造を示す分解斜視図である。
【図３】本考案の一実施形態による接続装置の使用状態を示す断面図である。
【図４】図３のＡ−Ａ線断面図である。
【図５】従来の接続装置の構造を示す断面図である。
【考案を実施するための形態】
【０００７】
（一実施形態）
図１および図２に示すように、本考案の一実施形態による接続装置は、筒形軸継手１およびスライドスリーブ２を備える。筒形軸継手１は、スリーブ状を呈し、且つ給気部材の本体３に設けられ、外部工具４と接続するのに用いられる。また、スライドスリーブ２は、筒形軸継手１の外部に滑動可能に嵌め込まれ、筒形軸継手１の軸方向に沿って滑動することができる。スライドスリーブ２および嵌め込み部１の間に復位ばね１４が設けられ、スライドスリーブが筒形軸継手に対して相対滑動後にそれを復位させることができる。スライドスリーブ２および筒形軸継手１には相互に嵌合可能である係止部が設けられていることで、スライドスリーブ２と筒形軸継手１との相対枢動が制限される。本実施形態において、筒形軸継手１は、外壁に軸方向沿いに延伸する凸部１１が形成されており、スライドスリーブ２は、内壁に軸方向沿いに延伸する凹部２１が形成されている。スライドスリーブ２および筒形軸継手１は、凹部２１および凸部１１が相互に係合することにより、軸方向のみに相対滑動することはできるが、周方向に相対枢動することはできない。
【０００８】
また、筒形軸継手１には、複数の収容穴１２が設けられており、各収容穴１２の中には、それぞれ係止部材が設けられている。各係止部材は、球形を呈するボール１３であり、一部が収容穴１２の外部に凸出して、スライドスリーブ２の頂縁における階段状溝２３に当接する。ボール１３がスライドスリーブ２とともに移動することで、階段状溝２３の下方にスライドスリーブ２に相対する変位経路が形成される。また、スライドスリーブ２の内壁には、各ボール１３の変位経路に対応して、一定の面積を有する接触部が設けられている。本実施形態において、接触部は、ボール１３の形状に対応し、スライドスリーブ２の軸方向沿いに延伸する弧形案内溝２２である。各ボール１３の外周の球形表面は、弧形案内溝２２に当接することにより、弧形案内溝２２と面状に接触する。
【０００９】
給気部材は、バルブアセンブリ５を含む。バルブアセンブリ５は、弁座５１と弁体５２と押動リング５３および押動ばね５４を有する。弁座５１は、本体３と筒形軸継手１との間に固設されており、弁体５２は、弁座５１の中に穿設されている。弁体５２は、一端にＯリング５２１が設けられている。Ｏリング５２１は、弁座５１に当接することができ、弁座５１を開閉するのに用いられる。また、弁体５２は、他端が筒形軸継手１の内壁に当接可能であり、複数の案内孔５５を有する。弁座５１と弁体５２との間に押動ばね５４が当接されている。また、押動リング５３は、筒形軸継手１の収容穴１２に当接することができる。図３に示すように、押動リング５３は、外部工具４に押し出され移動することにより、弁体５２に当接するとき、弁座５１が開かれ、空気が案内孔を流通する。
【００１０】
図１および図３に示すように、上述した部材により構成される本考案は、使用するときにおいて、最初の各ボール１３の位置は、スライドスリーブ２の階段状溝２３の中にある。外部工具４が筒形軸継手１に挿入されることで、スライドスリーブ２は、復位ばね１４により押し上げられ、各ボール１３を押し出して下方に向いて移動させ弧形案内溝２２に入らせる。このときに、各ボール１３は、図４に示すように、その外周の球形表面が弧形案内溝２２に密着することにより、弧形案内溝２２と面状の接触を形成する。よって、各ボール１３の受けた押し出し力は、ボール１３および弧形案内溝２２の面状接触面に均一に作用する。よって、圧力を有効に低減することによりスライドスリーブ２が摩損を受けることを抑制し、スライドスリーブ２の使用寿命を延長することができる。一方で、スライドスリーブ２と筒形軸継手１との間は、係止部により相対枢動が制限されることで、各ボール１３が弧形案内溝２２を脱離せず、確実に弧形案内溝２２と面状に接触するよう確保することができる。
【００１１】
但し、以上の実施形態は、本考案を説明するためであり、本考案の実用新案登録請求の範囲を限定するものではない。他の部材への等価置換または変化は、いずれも本考案の実用新案登録請求の範囲に属する。
以上の説明により、本考案は、上述の目的を達成する。
【符号の説明】
【００１２】
１  筒形軸継手
１１  凸部
１２  収容穴
１３  ボール
１４  復位ばね
２  スライドスリーブ
２１  溝部
２２  弧形案内溝
３  本体
４  外部工具
５  バルブアセンブリ
５１  弁座
５２  弁体
５２１  Ｏリング
５３  押動リング
５４  押動ばね
５５  案内孔
６１  ボール
６２  スライドスリーブ
６３  気動工具
【図１】
0003190541.tif 000003
【図２】
0003190541.tif 000004
【図３】
0003190541.tif 000005
【図４】
0003190541.tif 000006
【図５】
0003190541.tif 000007